(57)【要約】【課題】  濾過機能を長期に亘って発揮でき、寒冷期に被濾過液が凝固残存しても円滑に起動できる密封型濾過装置を提供する。【解決手段】  ケース2内に収容されるロールフィルタ6の上端面を覆うように板状フィルタ30を貼り付ける。ケース2の流入口3に被濾過液を圧送するポンプ24の吐出管25に弁体に小孔をあけたバタフライ弁31を介設する。取付棒9とボルト17を介して蓋5と一体になった固定板10の下部中央穴10dに上端を嵌合した連結管7の下端に係合溝を設け、この係合溝に係合する突起を消臭フィルタ32に設けて、係合溝への突起の係合および離脱により、消臭フィルタ32が１回転以内の相対回転で連結管7に着脱できるようにし、固定板の上部鍔10cと消臭フィルタ32の間にロールフィルタ6を挟持する。【選択図】図１
2005144204.tif 000002
【特許請求の範囲】
【請求項１】
被濾過液の流入口と流出口を底部に有する筒状のケースと、
このケースの上端に着脱可能に取り付けられてケース内を密封する蓋と、
シート状の濾過材を中心に貫通穴を持つように巻回してなり、外周面を上記ケースの内周に接してこのケースに収容されるロールフィルタと、
このロールフィルタの貫通穴と同径の中心穴を有してロールフィルタの上端面を覆うように貼り付けられた板状フィルタと、
下端を上記流入口に接続し、上端を上記板状フィルタの中心穴から突出させて上記ケース内に設けられ、圧送されてくる被濾過液を噴出する噴出管と、
上記蓋の内面に上記ケースの軸方向に位置調整可能に取り付けられ、噴出される被濾過液を衝突によって上記板状フィルタの上面に略均等に分散させる衝突板と、
この衝突板に取付部材を介して間隔をあけて取り付けられるとともに、上記噴出管に挿通され、かつ上記ロールフィルタを固定する環状の固定板と、
上記ロールフィルタの下面と上記ケースの底面の間に嵌装された円板状の消臭フィルタとを備えたことを特徴とする密封型濾過装置。
【請求項２】
請求項１に記載の密封型濾過装置において、上記ケースの流入口に吐出管が接続されたポンプと、圧送される被濾過液の流量を調整すべく上記吐出管に設けられた弁をさらに備えたことを特徴とする密封型濾過装置。
【請求項３】
請求項１または２に記載の密封型濾過装置において、上記噴出管を取り囲むように配置され、上端が上記固定板の下面に、下端が上記消臭フィルタの中心穴に夫々嵌合する連結管をさらに備え、この連結管の下端または上記消臭フィルタの中心穴のいずれか一方に係合溝を設け、いずれか他方に上記係合溝に係合する突起を設けて、この突起の係合溝への係合および離脱により、上記消臭フィルタが１回転以内の相対回転で上記連結管に着脱されるようになっていることを特徴とする密封型濾過装置。
【発明の詳細な説明】
【技術分野】
【０００１】
本発明は、例えば使用後の切削油、てんぷら油、養魚水、発酵後の酒類原料および泥水、雨水などの微細な塵芥や異粒子を含む液体を効率よく良好に濾過する密封型濾過装置に関する。
【背景技術】
【０００２】
この種の密封型濾過装置として、出願人は、図５に示すような装置を既に提案している(特許文献１;特開２００３−７１２０９号公報)。この密封型濾過装置５１は、使用後のてんぷら油などの被濾過液の流入口３と流出口４を底部２aに有する筒状のケース２と、このケース２の上端に着脱可能に取り付けられてケース内を密封する蓋５と、シート状の濾過材を貫通穴６aを持つように巻回してなり、外周面をケース２の内周に接してこのケースに収容されるロールフィルタ６と、下端７aを流入口３に接続し、上端７bを貫通穴６aから突出させてケース２内に設けられ、圧送されてくる被濾過液を噴出する噴出管７と、蓋５の内面にケース２の軸方向に位置調整可能に取り付けられ、噴出される被濾過液を衝突によってロールフィルタ６の上端面６bに略均等に分散させる衝突板８と、この衝突板８に取付棒９を介して間隔をあけて取り付けられるとともに、噴出管７に挿通され、かつロールフィルタ６を固定する環状の固定板１０と、ロールフィルタ６の下面６cとケースの底部２aとの間に嵌装された円板状の消臭フィルタ１２とを備えている。
ロールフィルタ６は、木材パルプを主とするセルロース繊維や、これに適宜割合で合成繊維を混入した材料を用い、一般的なＪＩＳ規格の寸法を採用して、密巻きによって巻き上げて作られる。なお、被濾過液に応じて再生紙、古紙、トイレットペーパなどを材料に用いてもよい。
【０００３】
衝突板８は、蓋５の内面中央に螺着したボルト１７の先端に固定され、このボルト１７は、蓋５の外面中央のＴ字状の把手１３に設けた雌ねじ穴に螺合し、蓋５の内面側に螺合した止めナット１８を一旦緩めて、回転により進退させることによって、衝突板８および固定板１０をロールフィルタ６の高さに応じて位置調整できるようになっている。固定板１０は、中心穴１０aに噴出管７の上端７bを挿通し、下部外周１０bを上記ロールフィルタ６の中芯１１に嵌合し、大径の鍔部１０cをロールフィルタ６の上端面６bに当接させていて、噴出管７,中芯１１,上端面６bとの当接部には夫々Ｏリング２０を装着している。
蓋５は、外周がケース２の上端外周の面取部２cと一緒になって横Ｖ字状の楔をなす面取部５aになっていて、この楔は、一端が図示しないヒンジで連結され、他端が蝶ボルト１６で締付けられる１対の半円環からなるクランプ１４によって外側から締め付けられて、Ｏリング１９を介してケース２に密着させられる所謂圧力釜構造を呈する。そして、蓋５でケース２を密封したとき、固定板１０が、ロールフィルタの貫通穴６aおよび噴出管７の外周を液密に封止して、被濾過液が貫通穴６aに漏れ込むのを防止し、かつロールフィルタ６の変形を防止する一方、蓋５を外した際のロールフィルタ６の取り出しを容易にしている。
【０００４】
消臭フィルタ１２は、ステンレス鋼製の金網を円板状の籠に形成し、この籠内に活性白土、活性炭、トルマリンなどの小塊や粉末を充填してなり、ロールフィルタ６の固定の際に固定板１０から作用する押下力に十分耐え得るようにしている。消臭フィルタ１２の外側には、ケース２の内面から僅かな隙間をあけて上下面が開放された仕切円筒２１を、その上端縁がロールフィルタ６の下面６cに食い込むように配置して、長期間の使用によってロールフィルタ６の外周とケース１の内周の間に生じ得る隙間を通って流出口４へ向かう未濾過の被濾過液の流れを阻止している。また、小径穴１２bには、噴出管７が密に挿通される。
固定板１０と消臭フィルタ１２は、連結管４４で連結されており、この連結管４４は、噴出管７を取り囲むように同心に配置され、上端４４aが固定板１０の底面の中央穴１０dに嵌合する一方、下端外周に消臭フィルタ１２の雌ねじ１２aに螺合する雄ねじ４４bを有する。
噴出管７の下端７aは、流入口３を液密に貫通して下方へ突出しており、この下端７aに、ニップル２２を介してポンプ２４の吐出管２５が接続され、ポンプ２４は、ストレーナ２６から吸込管２３を経て吸い込んだ被濾過液を、0.1MPa(≒１atm)程度の圧力で噴出管７へ図中矢印の如く圧送する。
【０００５】
上記密封型濾過装置５１の組み立ては、まず、蓋５の内面にボルト１７、衝突板８および取付棒９を介して取り付けられた固定板１０の底面の中央穴１０dに、連結管４４の上端４４aを嵌め込み、この連結管４４の下端からロールフィルタ６を挿入して、ロールフィルタ６の中芯１１を固定板１０の下部外周１０bに嵌合させ、ロールフィルタ６の上端面６bを固定板１０の鍔部１０cに当接させた後、ロールフィルタ６の下端から突出する雄ねじ４４bを、消臭フィルタ１２の中央穴の雌ねじ１２aに螺合して締め付けて、固定板１０と消臭フィルタ１２の間にロールフィルタ６を挟んで保持し、蓋５、ロールフィルタ６および消臭フィルタ１２を一体化する。
次に、一体化されたロールフィルタ６と消臭フィルタ１２をケース２の上端開口から挿入し、ケース２内の中央に突出する噴出管７を、消臭フィルタ１２の小径穴１２bと固定板１０の中心穴１０aに通して、ケース２の上端開口を蓋５とクランプ１４で密封する。
【０００６】
こうして組み立てられた密封型濾過装置５１のポンプ２４を起動すると、被濾過液として例えば使用後のてんぷら油が、図示しないタンクからストレーナ２６と吸込管２３を経て吸い込まれ、矢印で示すように吐出管２５を経て噴出管７へ圧送される。圧送されて来たてんぷら油は、ケース２の中心軸上に延在する噴出管７の上端７bから噴き出され、上方の衝突板８に当たって放射状に下方へ向かい、ロールフィルタ６の上端面６bに略均等に分散される。分散されたてんぷら油は、ロールフィルタ６内を流下し、揚げかすなどの異粒子が流下に伴って濾し取られ、ロールフィルタ６の下端面６cから清浄なてんぷら油となって流れ出る。
流れ出たてんぷら油は、次いで矢印で示すように消臭フィルタ１２に入り、籠に充填された機能性夾雑物である活性白土、活性炭、トルマリンによって消臭され、異臭のない清浄なてんぷら油となって流出口４から流れ出て、再利用されることになる。
【０００７】
目詰まりによる取り替えなどでロールフィルタ６を取り外す必要が生じた場合、クランプ１４を外して、把手１３によって蓋５を引き上げる。すると、蓋５と一体化されたロールフィルタ６および消臭フィルタ１２が、噴出管７を一体化したケース２から上方へ引き抜かれる。次いで、連結管４４の下端に螺着した消臭フィルタ１２を取り外し、固定板１０に中芯６aが嵌合したロールフィルタ６を下方へ引き抜き、新たなロールフィルタと交換する。
【特許文献１】特開２００３−７１２０９号公報
【発明の開示】
【発明が解決しようとする課題】
【０００８】
ところが、上記従来の密封型濾過装置５１は、被濾過液としてのてんぷら油の流入量が例えば３リッター／分程度に増加すると、揚かすなどの酸化した微細粒子によりロールフィルタ６が目詰まりを起こし、目詰まりを起こした部分で、ポンプ２４の供給圧の３倍である0.3MPaもの高圧が加わって、破壊し、最終的にロールフィルタ６が軸方向に貫通してしまい、濾過機能を失うという問題があることが判明した。
また、寒冷期などに停止した密封型濾過装置５１の噴出管７,ロールフィルタ６,消臭フィルタ１２内で、特にラードなどのてんぷら油が凝固した場合、通常時と同様にポンプ２４を起動して、てんぷら油を密封型濾過装置５１に供給しようとしても、凝固したてんぷら油で流通が妨げられるという問題がある。
一方、ロールフィルタ６の交換時には、ロールフィルタ６を蓋５と一緒に取り出し、消臭フィルタ１２を連結管４４から外す際、螺合を外すのに時間がかかるという問題もある。
【０００９】
そこで、本発明の目的は、目詰まりを防止してロールフィルタの濾過機能を長期に亘って発揮でき、寒冷期でも円滑に起動でき、ロールフィルタ交換が簡易に行える密封型濾過装置を提供することにある。
【課題を解決するための手段】
【００１０】
上記目的を達成するため、本発明の密封型濾過装置は、被濾過液の流入口と流出口を底部に有する筒状のケースと、このケースの上端に着脱可能に取り付けられてケース内を密封する蓋と、シート状の濾過材を中心に貫通穴を持つように巻回してなり、外周面を上記ケースの内周に接してこのケースに収容されるロールフィルタと、このロールフィルタの貫通穴と同径の中心穴を有してロールフィルタの上端面を覆うように貼り付けられた板状フィルタと、下端を上記流入口に接続し、上端を上記板状フィルタの中心穴から突出させて上記ケース内に設けられ、圧送されてくる被濾過液を噴出する噴出管と、上記蓋の内面に上記ケースの軸方向に位置調整可能に取り付けられ、噴出される被濾過を衝突によって上記板状フィルタの上面に略均等に分散させる衝突板と、この衝突板に取付部材を介して間隔をあけて取り付けられるとともに、上記噴出管に挿通され、かつ上記ロールフィルタを固定する環状の固定板と、上記ロールフィルタの下面と上記ケースの底面の間に嵌装された円板状の消臭フィルタとを備えたことを特徴とする。
【００１１】
上記密封型濾過装置では、底部に流入口と流出口をもち、上端が着脱可能な蓋で密封されたケース内に、シート状の濾過材を巻回してなるロールフィルタと、この上端面を覆って貼り付けられた板状フィルタとが収容され、下端を上記流入口に接続した噴出管の上端が、上記板状フィルタの中心穴から突出し、噴出管の上端の上方には、上記蓋の内面にケースの軸方向に位置調整可能に取り付けられた衝突板が配置され、この衝突板に取付部材を介して取り付けられた環状の固定板が、噴出管の上端を囲むとともにロールフィルタの上端を固定している。従って、圧送されてきた被濾過液は、噴出管の上端から衝突板に向けて噴出し、この衝突板に衝突して下方の板状フィルタの上面に向かって略均等に分散される。分散された被濾過液は、板状フィルタを通る際に、大きな粒径の塵芥や異粒子が漉し取られ、次に、ロールフィルタ内を軸方向下方へ流れるに伴って、小さな粒径の塵芥や異粒子が漉し取られ、さらに、消臭フィルタを通る際に、消臭されて、異臭のない清浄な液となって、ケースの流出口から流出して再利用される。
つまり、噴出管から噴出され、上方の衝突板で略均等に分散された被濾過液は、板状フィルタによって大きな粒径の異粒子が予め除去された後に、ロールフィルタで小さな粒径の異粒子が除去されるので、被濾過液が多量に流入しても目詰まりが起きず、目詰まりでロールフィルタが軸方向に貫通破壊することもなく、被濾過液を長期間に亘って効率よく濾過することができる。
【００１２】
本発明の一実施形態では、上記ケースの流入口に吐出管が接続されたポンプと、圧送される被濾過液の流量を調整すべく上記吐出管に設けられた弁をさらに備えている。
【００１３】
この実施形態では、被濾過液がポンプによって吐出管から流入口を経て噴出管に圧送され、圧送される被濾過液の流量が弁によって調整される。従って、寒冷期などに被濾過液が内部で凝固した密封型濾過装置に、高温の被濾過液を供給して起動する際、弁によって被濾過液の流量を少なくして、密封型濾過装置内の被濾過液を徐々に融解させる。そして、供給される被濾過液の温度付近まで装置が上昇してから、上記弁を全開することによって、寒冷期でも被濾過液の流通が妨げられることなく、円滑で効率的な運転を行なうことができる。
【００１４】
本発明の一実施形態では、上記噴出管を取り囲むように配置され、上端が上記固定板の下面に、下端が上記消臭フィルタの中心穴に夫々嵌合する連結管をさらに備え、この連結管の下端または上記消臭フィルタの中心穴のいずれか一方に係合溝を設け、いずれか他方に上記係合溝に係合する突起を設けて、この突起の係合溝への係合および離脱により、上記消臭フィルタが１回転以内の相対回転で上記連結管に着脱されるようになっている。
【００１５】
この実施形態では、連結管の上端が固定板の下面に、下端が消臭フィルタの中心穴に夫々嵌合し、かつ、連結管の下端または消臭フィルタの中心穴のいずれか一方および他方に設けられた係合溝と突起とが、１回転以内の相対回転で係合および離脱し、係合時に固定板と消臭フィルタの間に板状フィルタおよびロールフィルタが挟まれて保持される。従って、蓋の内側に衝突板を介して取り付けられた固定板を、ケースに装着し、ケースから取り出す際に、連結管を介して消臭フィルタおよびロールフィルタを上記固定板と一緒に装着し、取り出すことができるうえ、連結管と消臭フィルタが、１回転以内の相対回転で係合および離脱して、ロールフィルタおよび消臭フィルタの装着および取替えがいわばワンタッチで短時間に極めて容易にできる。
【発明の効果】
【００１６】
本発明の密封型濾過装置によれば、板状フィルタによって被濾過液中の大きな粒径の異粒子が予め除去された後に、ロールフィルタで被濾過液中の小さな粒径の異粒子が除去されるので、大きな粒径の異粒子でロールフィルタが短期間に目詰まりして、軸方向に貫通破壊することがなく、被濾過液を長期間に亘って効率よく濾過することができる。
【発明を実施するための最良の形態】
【００１７】
以下、本発明を図示の実施形態により詳細に説明する。
図１は、本発明の密封型濾過装置の一実施形態を示す縦断面図である。この密封型濾過装置１は、図５の従来例で述べた密封濾過装置５１に、被濾過液の流量を調整する弁としてのバタフライ弁３１と板状フィルタ３０を追加し、連結管４４と消臭フィルタ１２の連結形式を変更して連結管３４と消臭フィルタ３２とした点を除いて同じ構成であり、同じ部材には同一番号を付して説明を省略する。
【００１８】
上記板状フィルタ３０は、木材パルプを主とするセルロース繊維や、これに合成繊維を適宜混入した材料で作られ、図２に示すように、ロールフィルタ６の貫通穴６aと同径の中心穴３０aを有して、ロールフィルタ６の上端面６bを覆うように貼り付けられる。
【００１９】
上記バタフライ弁３１は、図３(Ｂ)に示すように、上部中央に突部３３aをもつハウジング３３内に、円板状の弁体３５を弁軸３６の周りに旋回自在に枢支し、図３(Ａ)に示すように、突部３３aから突出する弁軸３６にパッキン３７を介して挿通したレバー３８を、弁軸上端の雄ねじ３６aに螺着したナット３９で固定するとともに、弁体３５の中心に小径の貫通穴３５aを設けてなる。そして、図３(Ｂ)の閉位置にある弁体３５の貫通穴３５aによって流路を絞り、密封型濾過装置１へ供給する被濾過液の流量を減じる一方、レバー３８を矢印方向に９０°回した図３(Ａ)に示す開位置にある弁体３５によって、供給流量を最大にするようになっている。
【００２０】
上記連結管３４と消臭フィルタ３２の連結部は、図４(Ｂ)に示すように、連結管３４の下端３４b外周の直径方向対向位置に逆Ｌ字状の１対の係合溝４１a,４１bを連結管中心に関して点対象に１／４円周に亘って形成する一方、消臭フィルタ３２の上部中央に連結管の下端３４bに嵌合する筒状突部３２aを設け、この筒状突部３２a内周の直径方向対向位置に上記係合溝に係合する突起４０a,４０bを水平に設けてなる。そして、消臭フィルタ３２の突起４０a,４０bを、連結管３４の係合溝４１a,４１bの鉛直部に嵌め込んで、連結管３４を消臭フィルタ３２の穴底に当接するまで下げた後、連結管を９０°回して、突起４０a,４０bを係合溝４１a,４１bの水平部端に当接させる。こうして、連結管３４と消臭フィルタ３２は、螺合による場合よりも迅速かつ容易に連結および分離できる。
【００２１】
上記構成の密封型濾過装置の作用について次に述べる。
この密封型濾過装置１は、図５で述べた密封型濾過装置５１と一部を除いて同じ構成であるので、作用も段落[0006]で述べたものと基本的には異ならない。従って、異なる構成の作用を主に述べることにする。
ストレーナ２６が、図示しないタンク内の使用直後のてんぷら油に浸されているとする。ここで、ポンプ２４を起動すると、てんぷら油がストレーナ２６および吸込管２３を経て吸い込まれ、図１の矢印で示すように吐出管２５を経て噴出管７へ圧送される。圧送されて来たてんぷら油は、ケース２の中心軸上に延在する噴出管７の上端７bから噴き出され、上方の衝突板８に当たって放射状に下方へ向かい、板状フィルタ３０の上面に略均等に分散される。分散されたてんぷら油は、板状フィルタ３０を通る際に、大きな粒径の揚かすなどの異粒子が漉し取られ、次に、ロールフィルタ６内を下方へ流れるに伴って、小さな粒径の異粒子が漉し取られ、さらに、消臭フィルタ３２を通る際に、消臭されて、異臭のない清浄なてんぷら油となって、ケース２の流出口４から流出し、再利用に供せられる。
噴出管７から噴き出され、上方の衝突板８で略均等に分散されたてんぷら油は、板状フィルタ３０によって大きな粒径の異粒子が予め除去された後に、ロールフィルタ６で小さな粒径の異粒子が除去されるので、従来のように多量のてんぷら油が流入しても目詰まりが起きず、目詰まりでロールフィルタ６が軸方向に貫通破壊することもなく、てんぷら油を長期間に亘って効率よく濾過することができる。
【００２２】
次に、寒冷期などに密封型濾過装置１内で被濾過液としてのラードが凝固している場合、使用直後の高温(150℃)のラード油を装置１に供給して濾過する際、バタフライ弁３１を図３(Ｂ)に示す閉位置に切り換えてから、ポンプ２４を起動する。すると、ポンプ２４から噴出管７に圧送される高温ラード油は、弁体３５の小径貫通穴３５aによって供給流量を減じられ、密封型濾過装置１内の凝固ラードを徐々に融解させる。その後、密封型濾過装置１が供給されるラード油の温度付近まで昇温したとき、バタフライ弁３１を図３(Ａ)に示す開位置に切り換え、ポンプ２４の定格流量でラード油を供給して、密封型濾過装置１をフル稼動させる。これによって、寒冷期でもラード油の流通が妨げられることなく、円滑で効率的な運転を行なうことができる。
【００２３】
さらに、耐用寿命に達したロールフィルタ６を交換する場合、停止して常温になった密封型濾過装置１のクランプ１４を外して蓋５を上方へ引き上げる。すると、蓋５にボルト１７を介して一体化された衝突板８、この衝突板８に取付棒９を介して固定された固定板１０、およびこの固定板１０の鍔部１０cと連結管３４下端に連結した消臭フィルタ３２との間に挟み込まれたロールフィルタ６が一体になって、ケース２から抜き出される。そして、下端の消臭フィルタ３２を連結管３４に対して９０°回転させると、図４(Ｂ)に示す連結管３４の係合溝４１a,４１bと消臭フィルタ３２の突起４０a,４０bとの係合が外れ、螺合による場合よりも迅速かつ容易に消臭フィルタ３２および板状フィルタ３０を取り外すことができる。その後、ロールフィルタ６を下方へ引き下げて固定板１０から取り外し、新しいロールフィルタを装着し、消臭フィルタ３２を逆方向に９０°回転させて連結管３４に取り付けて、消臭フィルタ３２と固定板１０との間に板状フィルタ３０とロールフィルタを挟持する。
このように、連結管３４と消臭フィルタ３２が迅速かつ容易にいわばワンタッチで着脱できるので、ロールフィルタ６を常温になる前に取り替えることができる。
【００２４】
上記実施形態では、てんぷら油およびラード油を被濾過液として用いた場合について説明したが、本発明の密封型濾過装置は、冒頭で述べたように切削油、養魚水、泥水など種々の液体の濾過に適用できる。また、被濾過液の流量を調整する弁は、実施形態のバタフライ弁に限らず、開度を適切に絞れるものであれば、コックや他の種類の弁を用いることができる。さらに、連結管と消臭フィルタの連結形式は、実施形態とは逆に、消臭フィルタに係合溝を、連結管にこの係合溝に係合する突起を設けてもよく、係合および離脱に要する相対回転角度も、１回転以内なら実施形態の９０°に限られない。
【産業上の利用可能性】
【００２５】
本発明は、微細な塵芥や異粒子を含む液体を濾過する密封型濾過装置に適用される。
【図面の簡単な説明】
【００２６】
【図１】本発明の密封型濾過装置の一実施形態を示す縦断面図である。
【図２】図１の板状フィルタとロールフィルタを示す斜視図である。
【図３】図１のバタフライ弁を示す分解斜視図および斜視図である。
【図４】図１の連結管と主集フィルタの連結部の詳細を示す平面図および立面図である。
【図５】従来の密封型濾過装置を示す縦断面図である。
【符号の説明】
【００２７】
１  密封型濾過装置
２  ケース
３  流入口
４  流出口
５  蓋
６  ロールフィルタ
７  噴出管
８  衝突板
９  取付棒
１０  固定板
１１  中芯
１４  クランプ
１７  ボルト
２４  ポンプ
２５  吐出管
３０  板状フィルタ
３０a  中心穴
３１  バタフライ弁
３２  消臭フィルタ
３４  連結管
３５  弁体
３５a  小径貫通穴
４０a,４０b  突起
４１a,４１b  係合溝
【図１】
2005144204.tif 000003
【図２】
2005144204.tif 000004
【図３】
2005144204.tif 000005
【図４】
2005144204.tif 000006
【図５】
2005144204.tif 000007